(57)【要約】【課題】取り付けが簡単で且つ低コストで融雪できる仮設階段用融雪装置を提供することである。【解決手段】融雪装置（１０）を設置しようとする階段（Ｓ）の踏板とほぼ同じ大きさに形成された面状発熱体（１２）と、面状発熱体の上面に接着され、縞鋼板で形成された保護カバー（１４）と、面状発熱体の下面に接着され、ゴムマットで形成された緩衝体（１６）とを備えている。保護カバーに、金属製のコード保護部材（１８）が取り付けられ、コード保護部材の垂下した部分に融雪装置取り付け用の穴（１８ａ）が設けられており、保護カバーのコード保護部材が取り付けられている側と対向した側に、Ｌ形の取り付け用金具（２２）が取り付けられ、取り付け用金具の垂下した部分に融雪装置取り付け用の穴（２２ａ）が設けられている。【選択図】　図１
2004076410.tif 000002
【特許請求の範囲】
【請求項１】
仮設階段用融雪装置であって、
前記融雪装置を設置しようとする階段の踏板とほぼ同じ大きさに形成された面状発熱体と、
前記面状発熱体の上面に接着され、縞鋼板で形成された保護カバーと、
面状発熱体の下面に接着され、ゴムマットで形成された緩衝体とを備えていることを特徴とする融雪装置。
【請求項２】
前記面状発熱体と電源用コードとの接続個所のところで前記電源用コードが折れ曲がらないように、前記保護カバーに、金属製のコード保護部材が溶接で取り付けられ、前記コード保護部材の垂下した部分に融雪装置取り付け用の穴が設けられており、
前記保護カバーの前記コード保護部材が取り付けられている側と対向した側に、Ｌ形の取り付け用金具が溶接で取り付けられ、前記取り付け用金具の垂下した部分に融雪装置取り付け用の穴が設けられている、
ことを特徴とする請求項１に記載の融雪装置。
【発明の詳細な説明】
【０００１】
【発明の属する技術分野】
本発明は一般に、仮設階段用融雪装置に関する。より詳細には、本発明は、取り付けが簡単で且つ低コストで融雪できる仮設階段用融雪装置に関する。
【０００２】
【発明が解決しようとする課題】
積雪寒冷地の工事現場に設置される仮設階段は、冬期には、雪が降り積もって滑り易くなり、作業員が転落するおそれがあり、安全上の問題があった。仮設階段に降り積もった雪を融雪する方策として、種々の手段が試みられているが、コストがかかったり、取り付けが煩雑である等、満足すべきものが見当たらないのが現状である。
【０００３】
したがって、本発明は、取り付けが簡単で且つ低コストで融雪できる仮設階段用融雪装置を提供することを目的としている。
【０００４】
【課題を解決するための手段】
本願請求項１に記載の仮設階段用融雪装置は、階段の踏板とほぼ同じ大きさに形成された面状発熱体と、前記面状発熱体の上面に接着され、縞鋼板で形成された保護カバーと、面状発熱体の下面に接着され、ゴムマットで形成された緩衝体とを備えていることを特徴とするものである。
【０００５】
本願請求項２に記載の仮設階段用融雪装置は、前記請求項１の融雪装置において、前記面状発熱体と電源用コードとの接続個所のところで前記電源用コードが折れ曲がらないように、前記保護カバーに、金属製のコード保護部材が溶接で取り付けられ、前記コード保護部材の垂下した部分に融雪装置取り付け用の穴が設けられており、前記保護カバーの前記コード保護部材が取り付けられている側と対向した側に、Ｌ形の取り付け用金具が溶接で取り付けられ、前記取り付け用金具の垂下した部分に融雪装置取り付け用の穴が設けられていることを特徴とするものである。
【０００６】
【発明の実施の形態】
次に図面を参照して、本発明の好ましい実施の形態に係る仮設階段用融雪装置について詳細に説明する。図１において全体として参照符号１０で示される本発明の好ましい実施の形態に係る仮設階段用融雪装置は、階段Ｓの踏板とほぼ同じ大きさに形成された面状発熱体１２を備えている。面状発熱体１２としては、公知の形式のものを使用してよい。
【０００７】
融雪装置１０は又、面状発熱体１２の上面に配置された保護カバー１４を備えている。保護カバー１４は、融雪装置１０を後述するように仮設階段Ｓに設置した際に、踏板の役目を果たす。保護カバー１４は、階段Ｓの踏板とほぼ同じ大きさの縞鋼板で形成されており、両方の長手方向縁に沿って垂下した部分１４ａを有している。
【０００８】
融雪装置１０は更に、面状発熱体１２の下面に配置された緩衝体１６を備えている。緩衝体１６は好ましくは、ゴムマットで形成されており、融雪装置１０の設置時に面状発熱体１２と階段Ｓの踏板との間に位置し、面状発熱体１２の損傷を防止する。
【０００９】
保護カバー１４と面状発熱体１２、面状発熱体１２と緩衝体１６とは、接着剤によって互いに接着されている。接着剤としては、公知のものを使用してよい。
【００１０】
面状発熱体１２の一方の短辺方向縁から一対のコード２０が延び、コード２０の先端にはプラグ（図示せず）が取り付けられており、プラグを電源のコンセント（図示せず）に差し込むことによって、面状発熱体１２に電気が供給されるようになっている。なお、面状発熱体１２とコード２０との接続個所のところでコード２０が折れ曲がらないように、保護カバー１４に、金属製のコード保護部材１８が溶接で取り付けられている。コード保護部材１８の垂下した部分には、詳細には後述するように、取り付け用の穴１８ａが設けられている（図２（ａ）参照）。
【００１１】
保護カバー１４には又、コード保護部材１８が取り付けられている側と対向した側に、Ｌ形の取り付け用金具２２が溶接で取り付けられている。取り付け用金具２２の垂下した部分には、取り付け用の穴２２ａが設けられている（図３参照）。
【００１２】
以上のように構成された仮設階段用融雪装置１０の取り付け方法について説明する。まず、融雪装置１０を設置しようとする階段Ｓの踏板の上に融雪装置１０を載せる。次いで、スロット穴２４ａが設けられた部分とスロット穴が設けられていない部分からなるＬ形金具２４を用いて階段Ｓに融雪装置１０を固定する。すなわち、融雪装置１０のコード保護部材１８及び取り付け用金具２２が設けられている部分に、コード保護部材１８の穴１８ａ及び取り付け用金具２２の穴２２ａがＬ形金具２４のスロット穴２４ａにそれぞれ合致するように、Ｌ形金具２４を配置し、これらの穴に蝶ボルトを挿入してナットを螺合させることにより、融雪装置１０は階段Ｓに固定される。コード２０を電源に接続することにより、融雪装置１０が作動することとなる。
【００１３】
本発明は、以上の発明の実施の形態に限定されることなく、特許請求の範囲に記載された発明の範囲内で、種々の変更が可能であり、それらも本発明の範囲内に包含されるものであることはいうまでもない。
【００１４】
【発明の効果】
本発明の融雪装置は、仮設階段への容易な設置及び取り外しが可能である。また、本発明の融雪装置を仮設階段に取り付けることにより、凍結した仮設階段から滑って転落する等の事故がなくなるという安全上の効果が得られる。さらに、本発明の融雪装置を使用することにより、除雪作業に伴う人手の負担を軽減し、これによりコストの削減を達成することができる。
【図面の簡単な説明】
【図１】本発明の好ましい実施の形態に係る仮設階段用融雪装置の一部切り取り斜視図である。
【図２】（ａ）は、図１の仮設階段用融雪装置の側面図、（ｂ）は、図２（ａ）の線２ｂ−２ｂに沿って見た断面図である。
【図３】図１の仮設階段用融雪装置の分解斜視図である。
【図４】図１の仮設階段用融雪装置を仮設階段に取り付けた状態を示した斜視図である。
【図５】図１の仮設階段用融雪装置を仮設階段に取り付けた状態を示した正面図である。
【符号の説明】
１０　仮設階段用融雪装置
１２　面状発熱体
１４　保護カバー
１６　緩衝体
１８　保護部材
２０　コード
【図１】
2004076410.tif 000003
【図２】
2004076410.tif 000004
【図３】
2004076410.tif 000005
【図４】
2004076410.tif 000006
【図５】
2004076410.tif 000007